(57)【要約】【課題】基礎の上にブロックを複数段積み上げることによってブロック塀を構築し、そのブロック塀に補強金具を設置する技術において、ブロック塀に埋め込まれた縦筋によるブロック塀の補強度を向上させるとともに、ブロックの積上げ段階において補強金具を利用してブロック塀施工時の作業効率を向上させる。【解決手段】ブロック塀20の厚さ方向に並んだ２本の縦筋12を１対とする複数の縦筋対を、ブロック塀の長さ方向に並ぶとともに各縦筋の下端部が基礎70内に埋め込まれることとなるように配置する。さらに、予め定められた段数のブロック50の積上げ時に、上側水平板部40および下側水平板部42が傾斜板部46によって同一面内において連結された補強金具10のうちの傾斜板部がブロックおよび基礎を２辺とする直角三角形の斜辺を構成する姿勢で、上側水平板部を縦筋対に連結して補強金具を設置する。【選択図】  図２
2005048488.tif 000002
【特許請求の範囲】
【請求項１】
地中に基礎を埋設し、その埋設された基礎の上にブロックを複数段積み上げるとともにそれらブロック内に縦筋と横筋とを補強鉄筋として埋め込むことによってブロック塀を構築し、そのブロック塀の両側のうちの少なくとも一側である補強側に、互いに平行な上側水平板部および下側水平部がそれらに対して傾斜する傾斜部によって同一面内において連結された構造を有する補強金具を設置するブロック塀構築方法であって、
地盤のうち前記ブロック塀を設置しようとする場所にそのブロック塀の長さ方向に延びる溝を掘削し、その溝内に生のセメント材を流し込んで硬化させることにより、前記基礎を構築する基礎工程と、
その構築された基礎の上に前記ブロックを１段ずつ、各ブロックに前記縦筋を挿通するとともにセメント材で充填しながら積み上げる積上げ工程と
を含み、かつ、
前記基礎工程が、
（ａ）前記生のセメント材の流込みに先立ち、前記ブロック塀の厚さ方向に並んだ２本の縦筋を１対とする複数の縦筋対を、そのブロック塀の長さ方向に間隔を置いて並ぶとともに各縦筋の下端部が前記基礎内に埋め込まれることとなるように配置する縦筋配置工程と、
（ｂ）前記溝のうち前記補強金具を設置しようとする場所にアンカーを、そのアンカーの下端部が前記基礎内に埋め込まれることとなるように配置するアンカー配置工程と
を有し、かつ、
前記積上げ工程が、
（ａ）予め定められた段数のブロックが積み上げられたときに、前記傾斜部が前記ブロックおよび前記基礎を２辺とする直角三角形の斜辺を構成する姿勢で、前記上側水平板部は前記縦筋対に、前記下側水平部は前記アンカーにそれぞれ連結し、それにより、前記補強金具を設置する補強金具設置工程と、
（ｂ）前記予め定められた段数のブロックが積み上げられたときに、そのブロックの上面近傍において前記横筋を前記縦筋対間の隙間を通過するように配置する横筋配置工程と
を有するブロック塀構築方法。
【請求項２】
地中に埋設された基礎の上にブロックを複数段積み上げることによって構築されるブロック塀であって、そのブロック塀の厚さ方向に並んだ２本の縦筋を１対とする複数の縦筋対が、そのブロック塀の長さ方向に間隔を置いて並ぶように前記ブロック塀内に埋め込まれるとともに、予め定められた段数のブロックの上面近傍において横筋が前記縦筋対間の隙間を通過するように前記ブロック塀内に埋め込まれたブロック塀の両側のうちの少なくとも一側である補強側に設置されることにより、そのブロック塀を補強する補強金具であって、
互いに平行な上側水平板部および下側水平部がそれらに対して傾斜する傾斜部によって同一面内において連結された構造を有するとともに、前記傾斜部が前記ブロックおよび前記基礎を２辺とする直角三角形の斜辺を構成し、かつ、前記上側水平板部は前記縦筋対に、前記下側水平部は前記アンカーにそれぞれ連結される状態で、前記ブロック塀に設置されるブロック塀のための補強金具。
【発明の詳細な説明】
【技術分野】
【０００１】
本発明は、地中に基礎を埋設するとともにその埋設された基礎の上にブロックを積み上げてブロック塀を構築する技術に関し、特に、地震や台風に起因するブロック塀の倒壊を防止する技術の改良に関する。
【背景技術】
【０００２】
従来から、互いに隣接した敷地と敷地との境界や敷地と道路等との境界に塀が設置される場合がある。塀は、家屋等の建物の外壁としてのみならず、例えば、躯体壁、擁壁等としても使用される。このような塀の一例としてブロック塀が既に知られている（例えば、特許文献１参照。）。
【特許文献１】特開２００１−２６２８７０号公報
【０００３】
この種のブロック塀を設置するために、その現場において、地中に基礎を埋設するとともにその埋設された基礎の上にブロックを積み上げる作業が行われる。
【０００４】
具体的には、例えば、コンクリート製の基礎の上にコンクリート製またはセラミック製のブロックが複数段、芋積みまたは千鳥積みされる。各ブロックは、一般に、それの各端部において縦溝を有しており、その種類によっては、さらに、それの中央部において縦に延びる空洞も有している。
【０００５】
ブロックが１段積み上げられるごとに、地中に埋設された基礎に１本ずつ間隔を置いて予め植え込まれた縦筋がブロックの縦溝または空洞に挿通される。さらに、ブロックの適当段数ごとに横筋が１本ずつブロックの横溝に挿入される。セメント材（例えば、コンクリート、モルタル等）が縦溝または空洞内に充填されて硬化させられることにより、ブロック同士が強固に接合される。
【０００６】
地震や台風が発生すると、ブロック塀にそれを倒す向きに大きな外力が作用し、その結果、ブロック塀が倒壊するおそれがある。このような事態を回避するために、ブロック塀の両側のうちの少なくとも一側である補強側に補強金具を設置することにより、そのブロック塀を補強する技術も既に知られている（例えば、特許文献２参照。）。
【特許文献２】実公昭５５−５１９７０号公報
【０００７】
この特許文献２には、鉄筋が縦横に挿通されて補強されるブロック壁の控が開示されている。その控は、支柱アングルと台アングルとそれらに対して傾斜する補助アングルとが同一平面内において三角形を構成するように互いに連結されて構成されている。支柱アングルの上端には押えアングルが連結されている。
【０００８】
このように構成された控をブロック壁に設置するに先立ち、ブロックの積上げ段階において、フックボルトのうちのフック部が、積み上げられたブロックから露出した縦筋または横筋に引っ掛けられた状態で、そのブロックに植え込まれる。
【０００９】
植え込まれたフックボルトのうちブロックから突出した部分には、ねじ部が形成されている。ブロック壁内に埋設された縦筋のうちそのブロック壁の上端面から突出した部分にも、ねじ部が形成されている。そして、ブロックの積上げ終了後に、その控が設置される。
【００１０】
その控は次のようにして設置される。すなわち、支柱アングルがブロック壁の内側面に縦方向に設置される。台アングルが基礎上にブロック壁と直角な方向に設置され、その台アングルは、基礎に植え込まれたアンカーボルトのねじ部に、ナットによって締め付けられて固定される。さらに、押えアングルが、縦筋のうちのブロック壁の上端面から突出した部分のねじ部に、ナットによって締め付けられて固定される。
【発明の開示】
【発明が解決しようとする課題】
【００１１】
しかし、上述の控を使用してブロック塀を補強する方法には改善すべき点がある。
【００１２】
すなわち、この従来の方法を実施する場合には、ブロック塀内に縦筋が１本ずつ、そのブロック塀の長さ方向に間隔を置いて埋設され、その結果、ブロック塀は、１本ずつ一列に並んだ縦筋によって補強される。一方、縦筋は、ブロック塀の倒壊を防止するためにブロック塀内において有効に作用する鉄筋であり、縦筋の数が多いほど、ブロック塀の倒壊が良好に防止される。
【００１３】
そのため、この従来の方法を実施する場合には、縦筋の数が少ないため、縦筋によってブロック塀が補強される程度を高めることが困難であった。その結果、そのようなブロック塀を控を用いて補強するためには、控への依存度が高くなり、そのため、控がサイズアップする傾向があった。
【００１４】
具体的には、この従来の方法を実施する場合には、控をブロック塀の高さ全体を直接に補強するものとすることが必要であり、そのため、補強すべきブロック塀が高いほど、それに合わせてその控を高くしなければならなかった。
【００１５】
さらに、この従来の方法を実施する場合には、控と縦筋との連結が、ブロックの積上げ終了後にしか行うことができない。そのため、ブロックの積上げ段階において縦筋の位置決めにその控を利用してブロック塀施工時の作業効率を向上させることができなかった。
【００１６】
以上説明した事情を背景として、本発明は、地中に基礎を埋設し、その埋設された基礎の上にブロックを複数段積み上げることによってブロック塀を構築し、そのブロック塀の両側のうちの少なくとも一側である補強側に補強金具を設置する技術において、ブロック塀内に埋め込まれた縦筋によるそのブロック塀の補強度を向上させるとともに、ブロックの積上げ段階において補強金具を利用してブロック塀施工時の作業効率を向上させることを課題としてなされたものである。
【課題を解決するための手段】
【００１７】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈されるべきではない。すなわち、下記の態様には記載されていないが本明細書には記載されている技術的特徴を本発明の技術的特徴として適宜抽出して採用することは妨げられないと解釈すべきである。
【００１８】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈されるべきである。
【００１９】
（１）地中に基礎を埋設し、その埋設された基礎の上にブロックを複数段積み上げるとともにそれらブロック内に縦筋と横筋とを補強鉄筋として埋め込むことによってブロック塀を構築し、そのブロック塀の両側のうちの少なくとも一側である補強側に、互いに平行な上側水平板部および下側水平部がそれらに対して傾斜する傾斜部によって同一面内において連結された構造を有する補強金具を設置するブロック塀構築方法であって、
地盤のうち前記ブロック塀を設置しようとする場所にそのブロック塀の長さ方向に延びる溝を掘削し、その溝内に生のセメント材を流し込んで硬化させることにより、前記基礎を構築する基礎工程と、
その構築された基礎の上に前記ブロックを１段ずつ、各ブロックに前記縦筋を挿通するとともにセメント材で充填しながら積み上げる積上げ工程と
を含み、かつ、
前記基礎工程が、
（ａ）前記生のセメント材の流込みに先立ち、前記ブロック塀の厚さ方向に並んだ２本の縦筋を１対とする複数の縦筋対を、そのブロック塀の長さ方向に間隔を置いて並ぶとともに各縦筋の下端部が前記基礎内に埋め込まれることとなるように配置する縦筋配置工程と、
（ｂ）前記溝のうち前記補強金具を設置しようとする場所にアンカーを、そのアンカーの下端部が前記基礎内に埋め込まれることとなるように配置するアンカー配置工程と
を有し、かつ、
前記積上げ工程が、
（ａ）予め定められた段数のブロックが積み上げられたときに、前記傾斜部が前記ブロックおよび前記基礎を２辺とする直角三角形の斜辺を構成する姿勢で、前記上側水平板部は前記縦筋対に、前記下側水平部は前記アンカーにそれぞれ連結し、それにより、前記補強金具を設置する補強金具設置工程と、
（ｂ）前記予め定められた段数のブロックが積み上げられたときに、そのブロックの上面近傍において前記横筋を前記縦筋対間の隙間を通過するように配置する横筋配置工程と
を有するブロック塀構築方法。
【００２０】
この方法によれば、２本ずつ間隔を置いて並んだ縦筋がブロック塀内に埋め込まれることによってそのブロック塀が補強されるため、１本ずつ一列に並んだ縦筋によって補強を行う場合より、その補強度を向上させることが容易となる。
【００２１】
さらに、この方法によれば、１対を成す２本の縦筋がブロック塀の厚さ方向に並ぶように配置される。したがって、この方法によれば、ブロック塀を片持ち梁とみてそれの撓みを考えると、各縦筋がブロック塀の中立面から離れて位置するため、それら２本の縦筋を中立面上に配置する場合より、ブロック塀の撓みに対する剛性向上に各縦筋が効果的に作用する。
【００２２】
その結果、この方法によれば、各縦筋の寸法の割に良好にブロック塀の撓みを防止することができる。
【００２３】
このように、この方法によれば、２本ずつ間隔を置いて並んだ縦筋によってブロック塀が内的に補強されてそのブロック塀自体の剛性が向上するため、ブロック塀を外的に補強する補強金具に対する依存度が低くて済むこととなる。その結果、この方法によれば、補強金具の高さをそれが補強すべきブロック塀の高さの割に低くすることが容易となる。
【００２４】
さらに、この方法によれば、ブロックの積上げ段階において２本ずつの縦筋が補強金具と連結される。このとき、補強金具は、それら２本ずつの縦筋を結束する機能を果たす。補強金具は、ブロック塀の完成後にあっては、ブロック塀を補強する機能を果たすことになるから、結局、同じ補強金具でありながら、補強機能のみならず結束機能も果すことになるのである。
【００２５】
したがって、この方法によれば、補強金具の結束機能により、ブロック塀施工時における作業効率を向上させることが容易となる。
【００２６】
さらに、この方法によれば、少なくとも１本の横筋が縦筋対間の隙間を通過するように配置されるため、横筋が縦筋対の外側を通過するように配置される場合より、それら縦筋と横筋との結合を強固に行うことが容易となり、このことによっても、ブロック塀が内的に補強される程度を向上させることが容易となる。
【００２７】
なお付言すれば、本項において「基礎工程」は、それの縦筋配置工程とアンカー配置工程とがそれらの順に実施されるように実施したり、それとは逆の順序で実施されるように実施したり、ほぼ並行的に実施されるように実施することが可能である。
【００２８】
さらに付言すれば、本項において「積上げ工程」は、それの補強金具設置工程と横筋配置工程とがそれらの順に実施されるように実施したり、それとは逆の順序で実施されるように実施したり、ほぼ並行的に実施されるように実施することが可能である。
【００２９】
さらに付言すれば、本項において「複数の縦筋対」は、その縦筋対に該当しない少なくとも１本の縦筋と共に一列に並ぶように配置したり、その縦筋対に該当しないものを含まないで一列に並ぶように配置することが可能である。
【００３０】
さらに付言すれば、本項における「ブロック」は、広義のブロックを意味しており、よって、狭義のブロックであるコンクリート製ブロックのみならず、他の材料で製作されたブロック、レンガ等、直方体状を成すものを含んでいる。また、本項における「下側水平部」および「傾斜部」は、例えば、板状を成す下側水平板部および傾斜板部として構成したり、パイプ状を成す下側水平パイプおよび傾斜パイプとして構成することが可能である。
【００３１】
さらに付言すれば、本項に係る方法は、下記の各項に係る補強金具を用いて実施することが可能である。
【００３２】
（２）  前記積上げ工程が、さらに、前記予め定められた段数のブロックが積み上げられたときに、前記上側水平板部を前記横筋に連結する横筋連結工程を含む（１）項に記載のブロック塀構築方法。
【００３３】
この方法によれば、同じ上側水平板部に２本の縦筋と横筋とが連結されるため、補強金具が、ブロックの積上げ段階において、２本の縦筋を結束して位置決めする機能に加えて、横筋を位置決めする機能も果たすことが可能となる。
【００３４】
したがって、この方法によれば、ブロック塀施工時における作業効率をさらに向上させることが容易となる。
【００３５】
なお付言するに、本項における「横筋連結工程」は、前記（１）項における「横筋配置工程」と一緒に実施することが可能である。
【００３６】
（３）  地中に埋設された基礎の上にブロックを複数段積み上げることによって構築されるブロック塀であって、そのブロック塀の厚さ方向に並んだ２本の縦筋を１対とする複数の縦筋対が、そのブロック塀の長さ方向に間隔を置いて並ぶように前記ブロック塀内に埋め込まれるとともに、予め定められた段数のブロックの上面近傍において横筋が前記縦筋対間の隙間を通過するように前記ブロック塀内に埋め込まれたブロック塀の両側のうちの少なくとも一側である補強側に設置されることにより、そのブロック塀を補強する補強金具であって、
互いに平行な上側水平板部および下側水平部がそれらに対して傾斜する傾斜部によって同一面内において連結された構造を有するとともに、前記傾斜部が前記ブロックおよび前記基礎を２辺とする直角三角形の斜辺を構成し、かつ、前記上側水平板部は前記縦筋対に、前記下側水平部は前記アンカーにそれぞれ連結される状態で、前記ブロック塀に設置されるブロック塀のための補強金具。
【００３７】
この補強金具によれば、ブロックの積上げ段階において２本の縦筋を結束することが可能になるとともに、それら２本の縦筋と基礎に植え込まれたアンカーとを、引張や圧縮に抗するように対角線状に設けられた構造部材であるブレースとして機能する傾斜部によって互いに連結することにより、ブロック塀を外的に補強することが可能となる。
【００３８】
（４）  前記ブロックが、統一された寸法規格に従って製作されたものであり、前記上側水平板部と前記下側水平部との距離が、そのブロックの高さ寸法の整数倍に実質的に一致する（３）項に記載のブロック塀のための補強金具。
【００３９】
この補強金具によれば、それの高さ寸法、すなわち、上側水平板部と下側水平部との距離が、規格化されたブロックの高さ寸法の整数倍に実質的に一致させられる。
【００４０】
したがって、この補強金具によれば、規格化されたブロックを用いてブロック塀を構築しようとする場合である限り、ブロック塀の施工現場においていちいち補強金具を、そのブロック塀の寸法に合わせて組み立てることが不要となる。よって、ブロック塀施工時における作業能率を向上させることが容易となる。
【００４１】
（５）  前記予め定められた段数のブロックが、最下段のブロックであり、前記距離が、１個のブロックの高さ寸法に実質的に一致する（４）項に記載のブロック塀のための補強金具。
【００４２】
前述のように、この補強金具が設置されるブロック塀は、それの厚さ方向に並んだ２本ずつの縦筋によって内的に補強され、それ自体の倒れ剛性が高いため、その補強金具のサイズダウンが容易となる。
【００４３】
そして、本項に係る補強金具は、複数段のブロックのうちの最下段のものに設置される。具体的には、その補強金具の高さ寸法が、１個のブロックの高さ寸法に実質的に一致させられるとともに、２本ずつの縦筋のうち最下段のブロックの上面から突出する部分が、その補強金具のうちの上側水平板部に連結される。
【００４４】
したがって、この補強金具によれば、それの高さが低くなり、その結果、ブロック塀に設置された状態で、基礎の上面からの高さも低くなる。よって、この補強金具によれば、それを埋めるのに必要な土の量が少なくて済むため、補強金具が視覚的にも物理的にも邪魔になることを容易に防止し得る。
【００４５】
（６）  さらに、前記上側水平板部と前記下側水平部とに対して直角に延びてそれらを互いに連結する柱部を含み、かつ、その柱部が、前記ブロック塀の表面に沿って鉛直に延びる状態で設置される（３）ないし（５）項のいずれかに記載のブロック塀のための補強金具。
【００４６】
この補強金具によれば、その補強金具によって補強されていない側にブロック塀が倒れようとすると、柱部が上側水平板部から圧縮力を受ける。その圧縮力に柱部が耐え得る限り、上側水平板部が下側水平部に接近してブロック塀が補強されていない側に倒れることが防止される。
【００４７】
したがって、この補強金具によれば、柱部の存在により、さらに効果的にブロック塀の剛性を向上させることが容易となる。
【００４８】
本項における「柱部」は、板状素材で構成したり、閉じた断面で延びる素材（例えば、パイプ）で構成することが可能である。板状素材で構成する場合、真直ぐな断面を有するように構成したり、断面係数を高めるべく曲がり（例えば、Ｃ字状、Ｌ字状、波状の曲がり）を有する断面を有するように構成することが可能である。
【００４９】
（７）  前記上側水平板部が、前記縦筋対と連結されるべき第１連結部と、前記横筋と連結されるべき第２連結部とを含む（３）ないし（６）項のいずれかに記載のブロック塀のための補強金具。
【００５０】
（８）  さらに、設置状態において前記上側水平板部と同じ高さで水平に延びる棚を含む（３）ないし（７）項のいずれかに記載のブロック塀のための補強金具。
【００５１】
この補強金具によれば、棚を例えば、椅子として使用したり、物を置くテーブルとして使用することが可能となり、その結果、この補強金具の機能が多様化されてそれの利便性が向上する。
【００５２】
本項における「棚」は、上側水平板部の一部として構成したり、それから独立した別の部材によって構成することが可能である。
【００５３】
（９）  前記上側水平板部と前記傾斜部と前記下側水平部とが、それらの順に互いに分離不能に結合されている（３）ないし（８）項のいずれかに記載のブロック塀のための補強金具。
【００５４】
（１０）  前記下側水平部が、板状を成す下側水平板部として構成され、前記傾斜部が、板状を成す傾斜板部として構成され、前記上側水平板部と前記傾斜板部と前記下側水平板部とが、同一の板状素材の折り曲げによって一体的に形成された（３）ないし（９）項のいずれかに記載のブロック塀のための補強金具。
【発明を実施するための最良の形態】
【００５５】
以下、本発明のさらに具体的な実施の形態のいくつかを図面に基づいて詳細に説明する。
【００５６】
図１には、本発明の第１の側面の第１実施形態に従う補強金具１０が斜視図で示されている。図２には、この補強金具１０の使用状態が側面断面図で示されている。図２から明らかなように、この補強金具１０は、縦筋１２と横筋１４とが埋め込まれて内的に補強されたブロック塀２０と共に使用される。
【００５７】
図１に示すように、この補強金具１０は、共にステンレス製である第１および第２のストリップ（短冊状の板材）３０，３２によって構成されている。第１のストリップ３０は、それの長さ方向における２箇所で折り曲げられて構成されている。その折り曲げにより、第１のストリップ３０は、互いに平行な上側水平板部４０および下側水平板部４２と、それらに対して直角に延びてそれらを互いに連結する柱部４４とを含むように構成されている。
【００５８】
このように構成された第１のストリップ３０に第２のストリップ３２が溶接によって接合されている。その結果、第２のストリップ３２が、柱部４４と下側水平板部４２のうちその柱部４４に近い部分とを２辺とする直角三角形の斜辺を構成するとともに、上側水平板部４０と下側水平板部４２とに対して傾斜する傾斜板部４６を構成している。
【００５９】
図２に示すように、上側水平板部４０は、１段目のブロック５０と２段目のブロック５０との間に配置される。さらに、上側水平板部４０は、それら両ブロック５０，５０に挿通されるとともにブロック塀２０の厚さ方向に並んだ２本の縦筋１２，１２に連結される。それら２本の縦筋１２，１２は、互いに同じＬ字状の形状を有している。
【００６０】
図１に示すように、上側水平板部４０には、２本の縦筋１２，１２が個別に挿通されて連結されるための２個の連結穴６０，６０がそれぞれ貫通穴として、第１のストリップ３０の長さ方向に並んで形成されている。各連結穴６０の直径は、それに挿通されるべき縦筋１２の直径より少し大きく設定されている。さらに、それら２個の連結穴６０，６０間の間隔は、２本の縦筋１２，１２間の間隔に実質的に一致するように設定されている。
【００６１】
図２に示すように、下側水平板部４２は、基礎７０の水平な上面に支持される。基礎７０にはアンカーボルト（これが前記（１）項における「アンカー」の一例である。）７４が植え込まれており、このアンカーボルト７４が下側水平板部４２に挿通される。そのアンカーボルト７４にナット７６が螺合されることにより、下側水平板部４２が基礎７０に固定される。そのため、図１に示すように、下側水平板部４２のうち、アンカーボルト７４に対応する位置に、そのアンカーボルト７４が挿通されて連結されるための連結穴７８が貫通穴として形成されている。
【００６２】
図３には、この補強金具１０が、それを図２において右側から左側に向かう向きに見た正面図で示されている。図４には、この補強金具１０が背面図で示され、図５には、左側面図で示されている。この補強金具１０の右側面図は、左側面図と対称にあらわれるため、省略されている。さらに、図６には、この補強金具１０が平面図で示され、図７には、底面図で示されている。
【００６３】
図８には、この補強金具１０を用いてブロック塀２０を構築するブロック塀構築方法が工程図で表されている。このブロック塀構築方法は、本発明の第２の側面の一実施形態に従うものであり、以下、図８および図９を参照しつつ、このブロック塀構築方法を具体的に説明する。本実施形態においては、ブロック塀２０が、図２に示すように、敷地８０と道路８２との境界に設置される。
【００６４】
このブロック塀構築方法においては、まず、図８のステップＳ１００（以下、単に「Ｓ１００」で表す。他のステップについても同じとする。）において、基礎工程が行われる。
【００６５】
この基礎工程において、まず、Ｓ１０１において、掘削工程が行われ、次に、Ｓ１０２において、縦筋配置工程が行われ、続いて、Ｓ１０３において、コンクリート打込み工程が行われ、その後、Ｓ１０４において、アンカーボルト配置工程が行われる。
【００６６】
掘削工程は、根切り工程ともいわれる工程であり、この工程においては、図９の（ａ）に示すように、地盤のうちブロック塀２０を設置しようとする場所にそのブロック塀２０の長さ方向に延びる溝８４が掘削される。
【００６７】
縦筋配置工程は、配筋工程ともいわれる工程であり、この工程においては、図９の（ａ）に示すように、ブロック塀２０の厚さ方向に並んだ２本の縦筋１２，１２を１対とする複数の縦筋対と１本の縦筋１２とが交互に、ブロック塀２０の長さ方向に間隔を置いて一列に並ぶように配置される。さらに、各縦筋１２が、それの下端部において基礎７０内に埋め込まれることとなるように配置される。
【００６８】
図１０に示すように、ブロック５０は、統一された寸法規格に従って製作されており、それの左右の端部にはそれぞれ縦溝９０が形成されている。さらに、ブロック５０の上面には、左右に延びる横溝９２が形成されている。縦溝９０には１対の縦筋１２，１２または１本の縦筋１２が挿通され、後述するが、横溝９２には１本の横筋１４が挿通される。
【００６９】
コンクリート打込み工程においては、図９の（ｂ）に示すように、掘削された溝８４内に生のセメント材としてのコンクリート９４が流し込まれる。この流込みに先立ち、適宜、溝８４と地盤とが木枠９６によって互いに仕切られる。
【００７０】
アンカーボルト配置工程においては、図９の（ｂ）に示すように、溝８４のうち補強金具１０を設置しようとする場所にアンカーボルト７４が、そのアンカーボルト７４の下端部が基礎７０内に埋め込まれることとなるように配置される。アンカーボルト７４がコンクリート９４に植え込まれるのであり、この植込みはコンクリート９４の硬化前に行われる。
【００７１】
溝８４に流し込まれたコンクリート９４が硬化すると、基礎工程が完了し、次に、図８のＳ２００において、積上げ工程が行われる。この積上げ工程においては、基本的には、図９の（ｃ）に示すように、基礎７０の上にブロック５０が１段ずつ、各ブロック５０に縦筋１２を挿通するとともにセメント材で充填しながら積み上げられる。前述のように、縦筋１２は２本ずつ、ブロック５０の縦溝９０に挿通される。
【００７２】
この積上げ工程においては、Ｓ２０１において、横筋配置工程が行われ、Ｓ２０２において、補強金具設置工程が行われる。
【００７３】
横筋配置工程においては、図１０に示すように、１段目のブロック５０（これが前記（１）項における「予め定められた段数のブロック」の一例であり、最下段のブロックでもある。）が基礎７０の上に積み上げられたときに、そのブロック５０の上面近傍において横筋１４が縦筋対１２，１２間の隙間を通過するように配置される。横筋１４は、それの両側から２本の縦筋１２，１２によって挟まれることにより、位置が固定される。前述のように、横筋１４は、ブロック５０の横溝９２内に挿通される。
【００７４】
補強金具設置工程においては、１段目のブロック５０が基礎７０の上に積み上げられるとともに横筋１４が配置された後に、図９の（ｄ）に示すように、補強金具１０が１段目のブロック５０の上面に設置される。
【００７５】
具体的には、傾斜板部４６がブロック５０および基礎７０を２辺とする直角三角形の斜辺を構成する姿勢で、縦筋対１２，１２は上側水平板部４０の２個の連結穴６０，６０に、アンカーボルト７４は下側水平板部４２の連結穴７８にそれぞれ挿通されて連結される。上側水平板部４０はブロック５０の上面に、下側水平板部４２は基礎７０の上面にそれぞれ支持される。下側水平板部４２は、アンカーボルト７４のねじ部にナット７６が螺合されることによって基礎７０に固定されるが、この固定は、ブロック５０の積上げの途中において行っても、完了後に行ってもよい。
【００７６】
この補強金具設置工程においては、縦筋対１２，１２が上側水平板部４０の２個の連結穴６０，６０にそれぞれ挿通されることにより、縦筋対１２，１２が、補強金具１０によって結束された状態で位置決めされることとなる。
【００７７】
以上説明した積上げ工程が終了すれば、図８のＳ３００において、仕上げ工程が行われる。この仕上げ工程においては、例えば、図２に示すように、ブロック塀２０の外側面（道路８２に面する側面である。）にタイル、土壁等の仕上げ材９８を接着することや、基礎７０の上に土を盛ることが行われる。図２の例においては、補強金具１０の全体が完全に地中に埋設されるように土盛りが行われており、その結果、補強金具１０が地上に露出する場合とは異なり、補強金具１０が視覚的にも物理的にも邪魔にならずに済む。さらに、図２の例においては、地盤の高さが、敷地８０の方が道路８２より高くなっている。
【００７８】
次に、本発明の第２実施形態に従う補強金具１１０とそれを用いてブロック塀２０を構築する方法とを説明する。ただし、本実施形態は、第１実施形態と共通する要素が多いため、共通する要素については同一の名称または符号を使用して引用することにより、詳細な説明を省略し、異なる要素についてのみ詳細に説明する。なお、後述の他の実施形態についても、これと同様にして説明する。
【００７９】
第１実施形態においては、図１に示すように、上側水平板部４０が、１対を成す２本の縦筋１２，１２との連結部を備えているが、横筋１４との連結部は備えていない。
【００８０】
これに対し、本実施形態においては、図１１の（ａ）の側面図、（ｂ）の斜視図および図１２の平面図に示すように、上側水平板部４０が、１対を成す２本の縦筋１２，１２との連結部として、２個の連結穴６０，６０を同一面内に備えるとともに、１本の横筋１４との連結部として、２個の連結穴１２０，１２０を互いに同軸に備えている。
【００８１】
本実施形態においては、上側水平板部４０の両側縁から一対の連結片１２２，１２２が下方に延び出している。それら一対の連結片１２２，１２２は、ブロック塀２０の長さ方向に平行な方向において対面しており、それら一対の連結片１２２，１２２にそれぞれ連結穴１２０，１２０が、貫通穴として、互いに同軸に形成されている。各連結穴１２０の直径は、それに挿通されるべき横筋１４の直径より少し大きく設定されている。さらに、それら一対の連結穴１２０，１２０は、図１２に示すように、上側水平板部４０を真上から見た場合に、縦筋対１２，１２のための２個の連結穴６０，６０の中間に位置するように位置決めされている。
【００８２】
図１３には、この補強金具１１０を使用してブロック塀２０を構築するブロック塀構築方法のうちの積上げ工程のみがＳ４００として工程図で表されている。
【００８３】
この積上げ工程においては、横筋配置に先立ち、Ｓ４０１において、図８におけるＳ２０２と同様にして、補強金具１１０が１段目のブロック５０に設置される。この設置により、１対を成す２本の縦筋１２，１２が補強金具１１０によって結束される。
【００８４】
次に、Ｓ４０２において、１本の横筋１４が１段目のブロック５０の上面に配置される。この配置に際し、横筋１４は、先に設置された補強金具１１０の２個の連結穴１２０，１２０に挿通される。これにより、結局、同じ補強金具１１０により、１対を成す２本の縦筋１２と１本の横筋１４とが結束されることとなる。
【００８５】
本実施形態においては、補強金具１１０が、縦筋１２のみならず横筋１４にも連結されるため、縦筋１２のみに連結される場合より、補強金具１１０によってブロック塀２０が外的に補強される程度を向上させることが容易となる。
【００８６】
次に、本発明の第３実施形態に従う補強金具１３０を第１実施形態との比較において説明する。
【００８７】
第１実施形態においては、図１に示すように、上側水平板部４０が、１対を成す２本の縦筋１２，１２との連結部として、２個の連結穴６０，６０を備えている。
【００８８】
これに対し、本実施形態においては、図１４の（ａ）の側面図および（ｂ）の斜視図に示すように、上側水平板部１４０が、それの長さ方向（ブロック塀２０の厚さ方向に平行な方向である。）に一列に並んだ３個以上の連結穴１４２を、１対を成す２本の縦筋１２，１２との連結部として備えている。さらに、本実施形態においては、上側水平板部１４０の長さが、第１実施形態における上側水平板部４０より長く設定されている。
【００８９】
このように構成された補強金具１３０をブロック塀２０に設置する場合には、そのブロック塀２０に使用されるブロック５０の厚さに応じてそれに埋設される縦筋１２の位置が異なるため、その縦筋１２の位置に合わせて、３個以上の連結穴１４２のうちのいずれか２個が選択される。さらに、上側水平板部１４０のうち、設置状態においてブロック塀２０の内側面（敷地８０に面する側面である。）から突出する部分が、ブロック塀２０内に位置する部分から切り取られ、これにより、上側水平板部１４０の長さも、ブロック５０の厚さに合わせられる。
【００９０】
次に、本発明の第４実施形態に従う補強金具１５０を第３実施形態との比較において説明する。
【００９１】
第３実施形態においては、上側水平板部１４０が、１対を成す２本の縦筋１２，１２との連結を位置可変に行うために、３個以上の連結穴１４２を備えている。
【００９２】
これに対し、本実施形態においては、図１５の（ａ）の側面図および（ｂ）の斜視図に示すように、上側水平板部４０が、１対を成す２本の縦筋１２との連結を行うために、１個の連結穴１６２を、上側水平板部１６０の長さ方向に延びる長穴として備えている。
【００９３】
この連結穴１６２の長さを、１対を成す２本の縦筋１２，１２間の間隔に適合するように予め設定する場合には、その連結穴１６２によってそれら２本の縦筋１２，１２が、常に同じ位置において結束される。これに対し、その連結穴１６２の長さを、それら２本の縦筋１２，１２間の間隔より長くなるように予め設定する場合には、それら２本の縦筋１２，１２の位置の変化を吸収できるし、さらに、それら２本の縦筋１２，１２間の間隔の変化も吸収できる。
【００９４】
次に、本発明の第５実施形態に従う補強金具１７０を第１実施形態との比較において説明する。
【００９５】
第１実施形態においては、図２に示すように、補強金具１０の高さ、すなわち、上側水平板部４０と下側水平板部４２との距離（垂直距離）が、ブロック５０の１個分の高さに適合させられるとともに、その補強金具１０が、基礎７０と最下段のブロック５０とに設置されている。
【００９６】
これに対し、本実施形態においては、図１６に示すように、補強金具１７０の高さが、ブロック５０の複数個分の高さに適合させられるとともに、その補強金具１７０が、基礎７０と、最下段のブロック５０を含む複数段のブロック５０とに設置されている。ただし、それら複数段のブロック５０には最上段のブロック５０は含まれない。
【００９７】
したがって、本実施形態においては、補強金具１７０が３段以上のブロック塀２０に設置される場合に、その補強金具１７０の上側水平板部４０が、最下段のブロック５０と最上段のブロック５０とを除くいずれかの段のブロック５０と、それの直ぐ上のブロック５０との間に配置される。よって、本実施形態によれば、補強金具１７０を基礎７０と最下段のブロック５０とに設置する場合より、補強金具１７０によって効果的にブロック塀２０を補強することが容易となる。
【００９８】
次に、本発明の第６実施形態に従う補強金具１８０を第１実施形態との比較において説明する。
【００９９】
第１実施形態においては、図２に示すように、ブロック塀２０の両側のうちの一方のみが補強側に選定され、その補強側のみに補強金具１０が設置されている。
【０１００】
これに対し、本実施形態においては、図１７に示すように、ブロック塀２０の両側が共に補強側に選定され、いずれの補強側にも補強金具１８０が設置されている。
【０１０１】
図１７に示す補強金具１８０は、ブロック塀２０に関して対称的に配置された２個の補強金具１０を、上側水平板部４０に関して共通化させて合体させた構造に相当する構造を有している。具体的には、補強金具１８０は、一方の補強側に配置される連結体１８４と、他方の補強側に配置される連結体１８６と、それらに共通の１個の上側水平板部１８８とを含み、かつ、その上側水平板部１８８によってそれら２個の連結体１８４，１８６が互いに連結されている。各連結体１８４，１８６は、第１実施形態における補強金具１０のうち下側水平板部４２と柱部４４と傾斜板部４６との連結体として構成されている。
【０１０２】
次に、本発明の第７実施形態に従う補強金具２００を第１実施形態との比較において説明する。
【０１０３】
第１実施形態においては、図１に示すように、連続した１枚のストリップによって上側水平板部４０と柱部４４と下側水平板部４２とが互いに一体的に形成されている。
【０１０４】
これに対し、本実施形態においては、図１８に示すように、連続した１枚のストリップがそれの長さ方向における２箇所において折り曲げられることにより、上側水平板部２０４と傾斜板部２０６と下側水平板部２０８とが互いに一体的に形成されている。
【０１０５】
さらに、本実施形態においては、図１８に示すように、Ｌ字状に曲げられたパイプ２１０がストリップ２０２に、それの傾斜板部２０６が、パイプ２１０を２辺とする直角三角形の斜辺を構成する姿勢で、溶接によって固定されている。パイプ２１０のうち垂直に延びる部分は、柱部２１２を構成し、主に引張と圧縮とに耐えて補強金具２００の高さを維持するように作用する。さらに、パイプ２１０のうち水平に延びる水平部２１４は、下側水平板部２０８と同一面内で延び、柱部２１２が傾斜することを抑制するように作用する。
【０１０６】
次に、本発明の第８実施形態に従う補強金具２３０を第１実施形態との比較において説明する。
【０１０７】
第１実施形態においては、図１に示すように、補強金具１０が２部材の接合によって互いに一体的に形成されている。
【０１０８】
これに対し、本実施形態においては、図１９に示すように、補強金具２３０が、連続した１枚のストリップのみによって形成されている。そのストリップは、それの長さ方向における２箇所において折り曲げられ、それにより、上側水平板部２３２と傾斜板部２３４と下側水平板部２３６とが互いに一体的に形成されている。
【０１０９】
さらに、本実施形態においては、補強金具２３０が、最下段のブロック５０と基礎７０とに設置されており、この補強金具２３０の高さ寸法が、ブロック５０の１個分の高さに適合させられている。
【０１１０】
次に、本発明の第９実施形態に従う２個の補強金具２５０，２５２を第１実施形態との比較において説明する。
【０１１１】
第１実施形態においては、図１に示すように、補強金具１０が、それが埋設されない状態においては、傾斜板部４６において露出させられる。
【０１１２】
これに対し、本実施形態においては、図２０に示すように、第１実施形態における補強金具１０と構成がほぼ共通する２個の補強金具２５０，２５２が、傾斜板部４６，２６２同士において重なり合う姿勢で合体させられ、この状態でブロック塀２０に設置される。
【０１１３】
それら２個の補強金具２５０，２５２は、設置状態において上側に位置する上側補強金具２５０と、下側に位置する下側補強金具２５２とである。下側補強金具２５２は、第１実施形態に従う補強金具１０と共通に構成されてブロック塀２０に設置される。
【０１１４】
これに対し、上側補強金具２５０については、上側水平板部２６０のうち傾斜板部２６２から突出した部分が、下側補強金具２５２の上側水平板部４０に重ね合わされた状態で、ブロック５０の上面に配置される。一方、上側補強金具２５０の下側水平板部２６４は、下側補強金具２５２の下側水平板部４２のうち傾斜板部４６から突出した部分に重ね合わされた状態で、基礎７０の上面に配置される。
【０１１５】
上側補強金具２５０の構成は、下側補強金具２５２の構成と基本的に共通するが、上側水平板部２６０と下側水平板部２６４とについては相違する。なぜなら、上側水平板部２６０および下側水平板部２６２のそれぞれの、傾斜板部２６２に対する相対位置関係が、上側補強金具２５０と下側補強金具２５２とで互いに逆であるからである。
【０１１６】
したがって、上側補強金具２５０においては、上側水平板部２６０のうちブロック５０に埋設される部分の構成が、下側補強金具２５２の上側水平板部４０と共通にされるとともに、下側水平板部２６４の構成が、下側補強金具２５２の下側水平板部４２のうち傾斜板部４６から突出した部分と共通にされている。さらに、上側補強金具２５０は、上側水平板部２６０と下側水平板部２６４とに対して直角に延びてそれらを互いに連結する柱部２６６を備えている。
【０１１７】
上側補強金具２５０の上側水平板部２６０の一部は、ブロック塀２０の内側面（補強側の側面）から水平に突出させられ、水平な棚２７０を構成している。そして、本実施形態においては、同じブロック塀２０に間隔を置いて設置された複数個の上側補強金具２５０のうちの互いに隣接した２個に、それらの棚２７０の上に、ブロック塀２０の長さ方向に延びる平板（例えば、木製、合成樹脂製、金属製）２７２が横架されている。
【０１１８】
これにより、本実施形態においては、複数個の補強金具２５０，２５２を利用して水平面が構成されており、この水平面は、ベンチとして使用したり、植木鉢等の物を置くテーブルとして使用することが可能である。さらに、本実施形態においては、図２０の（ａ）において波状の実線で示すように、基礎７０の上に土が盛られていて、補強金具２５０，２５２の下部が土で覆われて見えないようになっている。
【０１１９】
次に、本発明の第１０実施形態に従う補強金具２５０を第９実施形態との比較において説明する。
【０１２０】
第９実施形態においては、図２０に示すように、構成が基本的に共通する２個の補強金具２５０，２５２がそれらの傾斜板部４６，２６２同士において重ね合わせられることにより、水平面が構成されている。
【０１２１】
これに対し、本実施形態においては、図２１に示すように、第９実施形態における下側補強金具２５２が省略され、上側補強金具２５０のみが用いられることにより、ブロック塀２０の補強と水平面の形成とが一緒に行われるようになっている。なお付言するに、同じ補強金具を、図２１に示す姿勢（倒立姿勢）で設置することと、図２に示す姿勢（正立姿勢）で設置することとの双方が可能であるように補強金具を設計することが可能である。この場合、例えば、補強金具のうち傾斜部から突出した２つの部分を互いに共通化することが望ましい。
【０１２２】
次に、本発明の第１１実施形態に従う補強金具２９０を第９実施形態との比較において説明する。
【０１２３】
第９実施形態においては、図２０に示すように、水平面を形成するために、２個の補強金具２５０，２５２が同じ面内で用いられる。
【０１２４】
これに対し、本実施形態においては、第１実施形態に従う補強金具１０と構成が基本的に共通する補強金具２９０が１個用いられるとともに、それの上側水平板部２９２が第１実施形態に従う補強金具１０の上側水平板部４０より長くされてれる。そして、その上側水平板部２９２のうち、ブロック塀２０から水平に突出させられた部分が水平な棚２９６を構成するとともに、ブロック塀２０の長さ方向において互いに隣接した複数個の補強金具２９０の棚２９６の上に平板２９８が適数枚横架されることにより、水平面が形成される。
【０１２５】
なお付言するに、本発明はその他の形態で実施することが可能である。例えば、同じ補強金具がブロック塀２０にそれの高さ方向における複数箇所において連結される形態で本発明を実施することが可能である。さらに、下側水平板部のうち、傾斜部との連結点と柱部との連結点との間の部分が基礎７０にアンカーボルトによって固定される形態で本発明を実施することも可能である。さらに、１対を成す２本の縦筋１２，１２を予め強固に結束して基礎７０に植え込む形態で本発明を実施することも可能である。
【０１２６】
以上、本発明の実施の形態のいくつかを図面に基づいて詳細に説明したが、これらは例示であり、前記［課題を解決するための手段］の欄に記載の態様を始めとして、当業者の知識に基づいて種々の変形、改良を施した他の形態で本発明を実施することが可能である。
【図面の簡単な説明】
【０１２７】
【図１】本発明の第１実施形態に従う補強金具を示す斜視図である。
【図２】図１の補強金具の使用状態を示す側面断面図である。
【図３】図１の補強金具を示す正面図である。
【図４】図１の補強金具を示す背面図である。
【図５】図１の補強金具を示す左側面図である。
【図６】図１の補強金具を示す平面図である。
【図７】図１の補強金具を示す底面図である。
【図８】図１の補強金具を用いてブロック塀を構築する方法を示す工程図である。
【図９】図８の工程図を説明するための斜視図である。
【図１０】図２における補強金具を取り出して拡大して示す側面図である。
【図１１】本発明の第２実施形態に従う補強金具を示す側面図と斜視図である。
【図１２】図１１の補強金具のうちの上側水平板部を拡大して示す平面図である。
【図１３】図１１の補強金具を用いてブロック塀を構築する方法のうちの積上げ工程を示す工程図である。
【図１４】本発明の第３実施形態に従う補強金具を示す側面図と斜視図である。
【図１５】本発明の第４実施形態に従う補強金具を示す側面図と斜視図である。
【図１６】本発明の第５実施形態に従う補強金具を示す側面図である。
【図１７】本発明の第６実施形態に従う補強金具を示す側面図である。
【図１８】本発明の第７実施形態に従う補強金具を示す側面図である。
【図１９】本発明の第８実施形態に従う補強金具を示す側面図と斜視図である。
【図２０】本発明の第９実施形態に従う補強金具を示す側面図と斜視図である。
【図２１】本発明の第１０実施形態に従う補強金具を示す側面図と斜視図である。
【図２２】本発明の第１１実施形態に従う補強金具を示す側面図と斜視図である。
【符号の説明】
【０１２８】
１０，１１０，１３０，１５０，１７０，１８０，２００，２３０，２５０，２５２，２９０  補強金具
１２  縦筋
１４  横筋
２０  ブロック塀
４０，１４０，１６０，１８８，２０４，２３２，２６０，２９２  上側水平板部
４２，２０８，２３６，２６４  下側水平板部
４４，２１２，２６６  柱部
４６，２０６，２３４，２６２  傾斜板部
５０  ブロック
６０，７８，１２０，１４２，１６２  連結穴
７０  基礎
７４  アンカーボルト
８４  溝
【図１】
2005048488.tif 000003
【図２】
2005048488.tif 000004
【図３】
2005048488.tif 000005
【図４】
2005048488.tif 000006
【図５】
2005048488.tif 000007
【図６】
2005048488.tif 000008
【図７】
2005048488.tif 000009
【図８】
2005048488.tif 000010
【図９】
2005048488.tif 000011
【図１０】
2005048488.tif 000012
【図１１】
2005048488.tif 000013
【図１２】
2005048488.tif 000014
【図１３】
2005048488.tif 000015
【図１４】
2005048488.tif 000016
【図１５】
2005048488.tif 000017
【図１６】
2005048488.tif 000018
【図１７】
2005048488.tif 000019
【図１８】
2005048488.tif 000020
【図１９】
2005048488.tif 000021
【図２０】
2005048488.tif 000022
【図２１】
2005048488.tif 000023
【図２２】
2005048488.tif 000024